(57)【要約】【課題】横方向の移動を滑らかにすると共に縦方向及び横方向の抜けを防止し、かつ必要ないときは圧縮袋の開口部から退避して内容物の出し入れに支障を来すことのない圧縮袋の閉止具を提供する。【解決手段】ファスナー部２を摺動する閉止具本体３の係合空間３ｃの対向する内面にそれぞれ突部３ｄ，３ｄを形成し、開口部Ｐａの開口長さ両端に設けたストッパ部４の両外側にはそれぞれ突部３ｄ，３ｄが係合する窪部４ａ，４ａを形成した。閉止具本体３の係合空間３ｃはファスナー部２の係合状態の厚みより若干狭い間隔としているので閉止具本体３の横方向の移動は滑らかとなり、かつ窪部４ａ，４ａと突部３ｄ，３ｄが係合しているから縦方向へ抜けることが防止され、また、開口部Ｐａの開口径全域を有効に利用することができると共に、ファスナー部２の最終端まで摺動させて確実に閉じることができる。【選択図】        図２
2005035589.tif 000002
【特許請求の範囲】
【請求項１】
外気を遮断して内容物を格納する袋の開口部を閉止する閉止具において、前記袋の開口部の開口長さ全域の各々の対向面にそれぞれ設けた凹状部と凸状部とが係合又は脱離するファスナー部と、前記袋の開口部を跨ぐと共に該ファスナー部を両外側から狭持する閉止具本体と、前記袋の開口部の開口長さ両端位置に設けられ、前記閉止具本体を該両端位置に摺動させたときにそれ以上の移動を禁止するストッパ部とを備え、前記閉止具本体は、前記ファスナー部の係合状態の厚みより若干狭い間隔とされた係合空間を有した断面コ字状又は断面Ｕ字状とされ、その前記係合空間の対向する内面にはそれぞれ突部又は窪部を形成し、この各々の突部又は窪部がストッパ部の両面にそれぞれ形成した窪部又は突部と互いに係合することを特徴とする袋の閉止具。
【請求項２】
ストッパ部の、突部又は窪部が形成された側とは反対の端部に取付部を設けたことを特徴とする請求項１記載の袋の閉止具。
【請求項３】
ストッパ部の、突部又は窪部が形成された側とは反対の端部に把持部を設けたことを特徴とする請求項１又は２記載の袋の閉止具。
【請求項４】
閉止具本体の、袋の開口部を跨ぐ部位に把持部を設けたことを特徴とする請求項１乃至３のいずれかに記載の袋の閉止具。
【発明の詳細な説明】
【０００１】
【発明の属する技術分野】
本発明は、外気を遮断して内容物を格納する密閉袋、特にその中でも内部を排気して内容物と共に内部を圧縮する圧縮袋の閉止具に関するものであり、移動を滑らかにすると共に移動方向及びこの移動方向と直交する方向の抜けを防止し、かつ必要ないときは袋の開口部から退避して内容物の出し入れに支障を来すことがなく、さらには引っ掛けたり吊り下げたりしても袋を破損したり、密閉性を損なうことのない袋の閉止具に関するものである。
【０００２】
【従来の技術】
外気を遮断して内容物を格納する密閉袋としては、例えば布団や衣類などの内容物を内部に挿入して内部の空気を抜きつつ内部に挿入した内容物を圧縮して密封し、体積を減少させた状態とするいわゆる圧縮及び密閉袋が知られている。この袋には、内容物を出し入れするための開口部の端部に該開口部を開閉するファスナー（ジッパー：商標名）を備えている。以下、圧縮及び密閉袋を総称して本願では特に必要のない場合には単に「圧縮袋」ということとする。
【０００３】
上記したファスナーは、開口部の内面対向位置における開口長さ方向に各々係合可能な凹状部と凸状部とを設けた構成となっている。そして、もともとファスナーは、凹状部と凸状部とを設けた部位を袋の外面から手で押さえつつ開口長さ方向に移動させて該凹状部と凸状部とを係合させて開口部を閉じ、開口部の両片を同じく手で開口長さ方向と直交する方向に引っ張ることで開口部を開く、ようになっている。
【０００４】
上記したように、圧縮袋に設けられたファスナーは、手で開閉、特に閉動作を行うものであったため、凹状部と凸状部の手による押さえつけが一定の圧力でない場合があると共に、手が滑らかに滑らない場合があるから、凹状部と凸状部との係合が不完全である箇所が存在していた。その結果、圧縮袋は、内部の負圧によって外気が係合の不完全な箇所から流入することとなり、圧縮袋の要を足さなくなる。
【０００５】
こうした不具合を解消するものとして、例えば下記の特許文献１〜４では、ファスナーを手で開閉させていたことに代えて開閉具を設けることとしている。
【０００６】
【特許文献１】
特許第３０５５０１５号公報（請求項１）
【特許文献２】
特許第３０１６６５４号公報（請求項１）
【特許文献３】
特許第３２００５８１号公報（請求項１）
【特許文献４】
特許第３００９９６５号公報（請求項１）
【０００７】
上記した特許文献１に開示される開閉具は、連結基部から２枚の狭着用の条片を狭い間隔を保って対向突設し、該条片の少なくとも一方の条片の内面に、ファスナーを外側から抱持するための、両側を解放した少なくとも２条の嵌合溝を並設すると共に、連結基部から両条片の間隔内に舌片状のストッパを、その先端が嵌合溝の手前に位置するように短めに突設して、密閉持の摺動に支障を来たすことなくかつ圧縮袋の辺縁から離脱しないように構成し、また、ストッパから外れた位置において連結基部の近傍内面に両条片を加圧係着させるための係合部を対設した構成としている。
【０００８】
また、上記した特許文献２に開示される開閉具は、分離用のフィンガが懸下された横方向の支持部材と、それぞれの脚部の対向する側部及びフィンガの対向する側部において支持部材から懸下された１対の脚部と、それぞれの脚部の対向する側部において支持部材の対向する側部にヒンジ連結されフィンガに対して折り畳み可能であると共に脚部を受容するための開口を有する１対の側壁部と、各々の脚部の縁部に沿って延びる肩部構造体と各々の側壁部の対応する縁部に沿って可撓性舌片構造体を延在する該側壁部とを相互に係止するための手段とを備えた構成としている。
【０００９】
また、上記した特許文献３に開示される開閉具は、連結基部から２つ折り可能な左右の条片からなる本体の少なくとも一方の条片の内面に、ファスナー部を外側から嵌入して該ファスナーを加圧係合するための嵌入溝を並設すると共に、連結基部から両条片の内面側に舌片状のストッパを突設して、その突出先端が連結基部側の嵌入溝の手前に位置するように短めに突設して構成した本体と、２つ折りされた本体の狭圧取付部材とを備えた構成としている。
【００１０】
また、上記した特許文献４に開示される開閉具は、プロファイル部材の開口の上側縁部に配置してなる支持部材と、この支持部材から懸下され、閉じる方の端部より開く方の端部の幅が広くこの幅が広い方の端部に隣接して突出部を備えた分離用のフィンガとでなるスライダを有し、フィンガの突出部と、プロファイル部材の閉じる方の端部の上部を一部切り欠いた切欠き構造とにより、スライダが閉じる方の端部に位置にしたときに該スライダを拘束し、またプロファイル部材を係止した状態に保持するプロファイル部材保持手段を備えた構成としている。
【００１１】
【発明が解決しようとする課題】
しかしながら、上記した特許文献１に開示された開閉具は、ファスナー部における開閉具自体の開閉移動方向（以下、横方向という）と直交する方向（以下、縦方向という）へ抜けてしまう可能性がある。また、特許文献１に開示された開閉具は、横方向への摺動が自在とされているから圧縮袋の閉端部まで該開閉具を移動させた状態としておいても、不意に該開閉具が横方向に移動して圧縮袋が開き、内部に外気を流入させてしまうことがあった。
【００１２】
また、上記した特許文献２に開示された開閉具は可撓性舌片と肩部との係合によって、また、上記した特許文献３に開示された開閉具は狭圧取付部材を本体の外面に取り付けることで、それぞれ縦方向への抜けに対して非常に強固な結合となるものの、その結合が強固であるがゆえに横方向への移動も滑らかではないと共に、圧縮袋及びそのファスナー部の損傷を招きやすく耐久性に欠けるといった問題があった。
【００１３】
また、上記した特許文献４に開示された開閉具は、横方向の閉状態に位置するとフィンガの突出部と切欠き構造とが係合するようになっているから、該開閉具が不用意に横方向に移動することが防止されるが、この構造においては上記した特許文献２と同様に可撓性舌片と肩部との係合によって縦方向への抜けに対して非常に強固に結合しているので、横方向への移動も滑らかではないと共に、圧縮袋及びそのファスナー部の損傷を招きやすく耐久性に欠けるといった問題があった。
【００１４】
また、上記した特許文献１乃至４開示される開閉具は、いずれも、圧縮袋の開口部おける横方向の開口長さの端部に開閉具が位置することとなるが、この位置は圧縮袋の開口部を最大に開いたときであってもその開口部の開口長さの両端に位置することとなっていたため、内容物の出し入れを阻害することがあった。すなわち、上記した特許文献１乃至４の開閉具は、開閉具自体が邪魔になって内容物が引っかかったり、損傷したりして内容物の出し入れが円滑に行われないといった問題があった。
【００１５】
さらに、上記した特許文献１乃至４に開示される開閉具は、いずれも、ファスナー部を開閉することのみを目的としたものであって、例えば圧縮袋を壁に掛けたり、吊したりする機能を兼ね備えてはいなかった。
【００１６】
ここで、圧縮袋に引っ掛けたり吊り下げたりするための治具を係合させる孔を設けた場合、あるいは圧縮袋自体に上記治具を例えば溶着したり接着する場合、圧縮袋としての密閉性を保持するための加工に手間がかかると共に、引っ掛けたり吊り下げたりしたときにその部位に応力が集中するので、圧縮袋が破損しやすく圧縮袋内に外気が流入する可能性がある。また、開閉具に上記孔や治具を設けた場合、吊り下げる方向や圧縮袋の揺動によって開閉具が横方向に移動して圧縮袋の密閉性を損なう可能性がある。
【００１７】
このように、単なる「袋」を引っ掛けたり、吊り下げたりすることについては特段の困難性はないが、本願でいう「圧縮袋」を引っ掛けたり、吊り下げたりすることは、上記したように圧縮袋の密閉性を保持しつつそのように機能させるよう構成しなければならない点で非常に困難であった。
【００１８】
本発明は、上記の問題を解決するものであり、横方向の移動を滑らかにすると共に縦方向及び横方向の抜けを防止し、かつ必要ないときは圧縮袋の開口部から退避して内容物の出し入れに支障を来すことがなく、さらには引っ掛けたり吊り下げたりしても圧縮袋を破損したり、密閉性を損なうことのない袋の閉止具を提供することを目的とする。
【００１９】
【課題を解決するための手段】
上記の目的を達成するために、本発明の袋の閉止具は、ファスナー部と、閉止具本体と、ストッパ部とを備え、閉止具本体には、ファスナー部の係合状態の厚みより若干狭い間隔とされた係合空間における対向する内面にそれぞれ突部又は窪部を形成し、一方、ストッパ部にはその両面にそれぞれ閉止具本体の突部又は窪部が係合する窪部又は突部を形成したのである。このようにすることで、横方向の移動を滑らかにすると共に縦方向及び横方向の抜けが防止され、かつ必要ないときは袋の開口部から退避するから内容物の出し入れが容易となる。
【００２０】
【発明の実施の形態】
本発明の袋の閉止具は、外気を遮断して内容物を格納する袋の開口部を閉止する閉止具において、前記袋の開口部の開口長さ全域の各々の対向面にそれぞれ設けた凹状部と凸状部とが係合又は脱離するファスナー部と、前記袋の開口部を跨ぐと共に該ファスナー部を両外側から狭持する閉止具本体と、前記袋の開口部の開口長さ両端位置に設けられ、前記閉止具本体を該両端位置に摺動させたときにそれ以上の移動を禁止するストッパ部とを備え、前記閉止具本体は、前記ファスナー部の係合状態の厚みより若干狭い間隔とされた係合空間を有した断面コ字状又は断面Ｕ字状とされ、その前記係合空間の対向する内面にはそれぞれ突部又は窪部を形成し、この各々の突部又は窪部がストッパ部の両面にそれぞれ形成した窪部又は突部と互いに係合するものである。
【００２１】
上記構成において、圧縮袋は閉止具本体を摺動させることで、ファスナー部の凹状部と凸状部とを係合させて開口部を閉止する。このとき、閉止具本体の係合空間は、ファスナー部の係合状態の厚みより若干狭い間隔としているので、閉止具本体の横方向の移動は滑らかとなる。
【００２２】
ここで、上記したように閉止具本体の移動は滑らかになる反面、閉止具本体は縦方向に抜けやすくなるが、本発明では、ストッパ部を圧縮袋の開口部の開口長さ両端位置に設けてこのストッパ部の窪部と閉止具本体の突部とを係合させるようにしている。
【００２３】
このようにすることで、閉止具本体は、基本的には圧縮袋の開口部を閉じるときに使用するだけでファスナー部の途中箇所に位置することはないから、内容物を出し入れするときには常にストッパ部の窪部と係合している状態となり、その結果、閉止具本体の移動を滑らかにすることと縦方向への抜け防止との両方を互いに機能させることができる。
【００２４】
さらに、ストッパ部は、圧縮袋の開口部の開口長さ両端位置に設けているから、ストッパ部の窪部に閉止具本体の突部が位置したときには、開口部つまりファスナー部の途中位置に閉止具本体が存在しなくなる。その結果、内容物を出し入れする際には開口部の開口径全域を有効に利用することができるようになる。また、開口部を閉じた際には、ファスナー部の最終端まで閉止具本体を摺動させてファスナー部全体を確実に閉じることができるから、内部に外気が流入するといったことがない。
【００２５】
また、本発明は、上記構成に加えて、ストッパ部の、突部又は窪部が形成された側とは反対の端部に取付部を設けてもよい。すなわち、圧縮袋に孔を形成したり治具を設けたり、開閉具に孔を形成したり治具を設けたりするのではなく、ストッパ部に取付部を設けるのである。
【００２６】
このようにすることで、例えば圧縮袋に孔を形成した場合のように密閉性を保持するための加工に手間がかかることがないと共に、引っ掛けたり吊り下げたりしたときに集中する応力で圧縮袋が破損したりすることがなく、また、例えば開閉具に上記孔や治具を設けた場合のように吊り下げる方向や圧縮袋の揺動によって開閉具が横方向に移動して圧縮袋の密閉性を損なう可能性もなく、つまり圧縮袋を破損したり、密閉性を損なうことなく引っ掛けたり吊り下げたりすることができる。
【００２７】
また、本発明は、上記構成に加えて、ストッパ部の、突部又は窪部が形成された側とは反対の端部に把持部を設けてもよい。従来は、圧縮袋の開口部の開口長さ端部を手で持つようにしていたので手が滑ったりして操作性が悪かった。これを解消するために、ストッパ部に把持部を設けたのである。
【００２８】
このようにすることで、例えば手に水分が付いていたり、油等が付いていたりした場合であっても、手が滑ることなく確実に操作することができ、操作性が向上する。
【００２９】
また、本発明は、上記構成に加えて、閉止具本体の、圧縮袋の開口部を跨ぐ部位に把持部を設けることで、該閉止具本体を確実に把持した状態で摺動させることができるようになり、使い勝手が向上する。
【００３０】
【実施例】
以下に本発明の実施例について図面を参照して説明する。図１は、本発明の袋の閉止具（以下、閉止具という）を採用した圧縮袋を示す。図２は、閉止具の動作状況を示す。図３は、閉止具のみを拡大して示す。図４は、閉止具本体を示す。図５及び図６は、ストッパ部のみを示す。図７及び図８は、ハンガーを取り付けた状況を示す。図９は、閉止具本体とストッパ部の他の実施例を示す。
【００３１】
本発明の閉止具１は、内部を排気して内容物とともに内部を圧縮する圧縮袋Ｐの開口部Ｐａを閉止するものであり、主としてファスナー部２、閉止具本体３、及びストッパ部４とから構成されている。
【００３２】
ファスナー部２は、圧縮袋Ｐの開口部Ｐａの開口長さ両端全域における対向する内面のそれぞれに設けられた凹状部（参照番号無）と凸状部（参照番号無）とで構成される。このファスナー部２は、本実施例では、平行に２条設けられ、後述する閉止具本体３を横方向に摺動させることによって、凹状部と凸状部とを係合させて開口部Ｐａを閉じる。本実施例では、ファスナー部２を開くには、開口部Ｐａを手で広げて凹状部と凸状部との係合を脱離することで行う。
【００３３】
閉止具本体３は、ファスナー部２を設けた圧縮袋Ｐの開口部Ｐａを跨ぐ連結部３ａと、この連結部３ａから連続して該ファスナー部２に対して直交する方向に形成された側壁部３ｂ，３ｂとを有する。よって、閉止具本体３は、連結部３ａ、側壁部３ｂ，３ｂによって断面コ字状とされている。なお、閉止具本体３の断面形状は、ファスナー部２を狭持できるものでよいから断面Ｕ字状であっても、またそれ相応の断面形状であっても構わない。
【００３４】
側壁部３ｂ，３ｂは、その間隔が、ファスナー部２を両外側から狭持するように該ファスナー部２の係合状態の厚みより若干狭い状態とされている。この側壁部３ｂ，３ｂ間で形成される空間は、以降、係合空間３ｃと称することとする。この係合空間３ｃを形成した側壁部３ｂ，３ｂは、本実施例では連結部３ａによる連結部位において、側壁部３ｂ，３ｂが互いに離間する方向に開いた際にはその弾性復元力によって離間した分だけ元の間隔に戻るように構成している。
【００３５】
この弾性復元力の作用によって、例えば閉止具本体３は、予め該閉止具本体３を備えた圧縮袋Ｐを提供する場合ではなく、閉止具本体３を圧縮袋Ｐとは別体で提供する場合には、圧縮袋Ｐに対して取り付けやすく、また、取り付けた後には確実にファスナー部２を係合させることができるのである。
【００３６】
そして、上記したような作用効果を得られる構成であるならば、閉止具本体３は、例えば後述する突部３ｄを該閉止具本体３の内部から突出させるように付勢するばねを介在させる構成としてもよい。
【００３７】
さらに、側壁部３ｂ，３ｂにおける係合空間３ｃ内の対向する内面にはそれぞれ突部３ｄが形成されている。この突部３ｄは、例えば本実施例では断面半円状としている。この理由は、本実施例では突部３ｄがファスナー部２を直接狭持し、閉止具本体３を摺動させて開口部Ｐａを閉じるが、このときに突部３ｄによりファスナー部２を破損しないようにするためである。
【００３８】
また、本実施例では、閉止具本体３の、圧縮袋Ｐにおける開口部Ｐａを跨ぐ部位の外面部に把持部３ｅを設けている。この把持部３ｅは、使用者に閉止具本体３を滑ることなく把持させるものである。この把持部３ｅを設けることにより、閉止具本体３を摺動しやすくなる。
【００３９】
ストッパ部４は、閉止具本体３を摺動させたときにそれ以上の移動を禁止するためのものであり、圧縮袋Ｐにおける開口部Ｐａの開口長さ両端位置に設けられている。両端位置に設けている理由は、本実施例における圧縮袋Ｐは、開口部Ｐａを閉じるには閉止具本体３を摺動させるが、開口部Ｐａを開く際には閉止具本体３を使用しない。よって、閉止具本体３は、開口部Ｐａを開くたびに閉じる方向が反対になるから、ストッパ部４は圧縮袋Ｐにおける開口部Ｐａの開口長さ両端位置に設けているのである。
【００４０】
また、開口長さ両端位置にストッパ部４を設けている理由は、開口部Ｐａの開口長さ内にストッパ部４を設けるようにすると、開口部Ｐａの開口径が狭くなってしまうからであり、また、ファスナー部２の途中箇所で閉止具本体３の摺動を停止することにもなるため、ファスナー部２を正しく最後まで係合できず、その結果、密閉性が阻害される可能性があるからである。
【００４１】
上記理由により、ストッパ部４は圧縮袋Ｐにおける開口部Ｐａを形成した開口部の開口長さ両端位置に設けているのであり、このようにすることで、閉止具本体３は、後述する窪部４ａで突部３ｄが係合する位置まで摺動するとファスナー部２の最終端まで閉止を行ったこととなるから密閉性が阻害されることがなく、かつ開口部Ｐａを開いたときには、閉止具本体３やストッパ部４が開口部Ｐａの開口径を狭くすることがない。
【００４２】
そして、ストッパ部４は、両外側にそれぞれ閉止具本体３の突部３ｄ，３ｄが係合する窪部４ａ，４ａを形成している。また、本実施例では、ストッパ部４の、窪部４ａ，４ａが形成された側とは反対の端部に、取付部４Ａ（係合型）、又は取付部４Ｂ（嵌合型）を設けている。これら取付部の使用状況については後述する。
【００４３】
また、ストッパ部４における取付部４Ａ又は４Ｂは、本実施例においては、圧縮袋Ｐ全体を確実に手で把持するための、把持部（請求項３に相当する）を兼ねている。もちろん、この把持部は、必ずしも取付部４Ａ又は４Ｂと兼ねる必要はないが、兼用することによってストッパ部４の不必要な大型化を抑制することができるという作用効果がある。
【００４４】
上記構成の閉止具１は、次のように動作する。本実施例では、まず開口部Ｐａを手で開いて、圧縮袋Ｐ内に内容物を入れ、その後、例えば掃除機のノズルが挿入できる程度の間隔を残して開口部Ｐａを閉止具本体３を摺動させて閉じる。そして掃除機のノズルを開口部Ｐａから挿入し、排気して内部を圧縮する。その後、掃除機のノズルを開口部Ｐａから抜くと共に、閉止具本体３をさらに摺動してノズルを抜いた残りの開口部Ｐａを閉じる。ここまでの動作は、圧縮袋Ｐの種類によって適宜変更することもある。
【００４５】
このとき、本実施例における閉止具本体３は、開口部Ｐａの両端外側にはみ出す位置に指で狭持できる平面を有した把持部３ｅと（ストッパ部４における把持部を兼ねる）取付部３Ａ又は３Ｂを設けているので、手から滑ることなく容易に移動させることができると共に、ファスナー部２に対して狭持するための大きな力を加えていないので滑らかに移動させることができる。
【００４６】
そして、閉止具本体３を摺動させてストッパ部４まで位置させ、閉止具本体３の突部３ｄをストッパ部４の窪部４ａに係合させる。このとき、ファスナー部２は最終端まで閉じられたこととなり、確実に密閉され、かつそのことを突部３ｄと窪部４ａとの係合の際の手の感覚や音で確認することができる。
【００４７】
さらに、閉止具本体３は、上記したように滑らかに摺動させることを目的としていることから、ファスナー部２を確実に係合させる程度にしか狭持する力を加えるようにはなっていない。従って、閉止具本体３は、開口部Ｐａの途中箇所では縦方向に抜ける可能性があるが、開口部Ｐａを完全に開いた、あるいは開口部Ｐａを完全に閉じた、ときには該閉止具本体３の突部３ｄとストッパ部４の窪部４ｄとが係合するから、縦方向に抜けることがない。
【００４８】
一方、内容物を開口部Ｐａから出すときには、手で開口部Ｐａを開く。このとき、上記したように閉止具本体３はストッパ部４の窪部４ａで係合した状態であるから、開口部Ｐａの開口径を最大に開いた状態で内容物を出すことができる。
【００４９】
さらには、ストッパ部４の取付部４Ａや取付部４ＢにＳ字状の吊り下げ用のフックＰ１や、ハンガーＰ２を図７及び図８のように取り付けることで、例えば壁へ引っ掛けたり、吊り下げたりすることができる。なお、図７においては、取付部４Ａがハンガーのワイヤーを挿入できるように下側の脚が開いた円形の孔となっている係合型であるため、ハンガーＰ２を直接係合して使用するようにしている。また、図８においては、取付部４Ｂが円形の孔として形成されている嵌合型であるため、ハンガーＰ２はフックＰ１を介して使用するようにしている。
【００５０】
このとき、取付部４Ａ、取付部４Ｂは、圧縮袋Ｐでもなく、閉止具本体３でもない、ストッパ部４に設けているので、圧縮袋としての密閉性を保持するための加工に手間がかかることもなく、また、引っ掛けたり吊り下げたりしたときにその部位に応力が集中して圧縮袋Ｐが破損するといったこともなく、さらには吊り下げる方向や圧縮袋の揺動によって開閉具が横方向に移動して圧縮袋の密閉性を損なう可能性もなく、良好に引っ掛けたり、吊り下げたりすることができる。
【００５１】
なお、本発明は、上記実施例に限らず、特許請求の範囲の記載事項内において様々な変形が可能であり、閉止具本体３の突部３ｄと、ストッパ部４の窪部４ａとの係合は、例えば、図９に示すように変形してもよい。図９において、突部３ｄの頂部には凹部３ｄ１が形成されている。一方、ストッパ部４は、上記実施例で窪部４ａが形成されるべき場所に孔が形成されており、この孔から略半円状の突片４ａ１，４ａ１が没入可能に突出している。
【００５２】
突片４ａ１，４ａ１は、ストッパ部４の内部に位置する底部間がばねＳにより常時付勢状態とされている。そして、閉止具本体３を開口長さ両端位置に摺動移動させ、ストッパ部４の位置まで移動させたときに、突片４ａ１，４ａ１が一旦突部３ｄ，３ｄによりばねＳの付勢力に抗して孔に没入し、その後、凹部３ｄ１，３ｄ１の位置に閉止具本体３が移動したときに孔に没入した突片４ａ１，４ａ１がばねＳの付勢力によって凹部３ｄ１，３ｄ１内に突出し、このとき閉止具本体３とストッパ部４とが係合状態となる。このようにしても、上記と同等の左様効果を得ることができる。
【００５３】
【発明の効果】
以上のように、本発明の本発明のは、ファスナー部と、ファスナー部を設けた袋の開口部を跨ぐと共に該ファスナー部を両外側から狭持するように係合状態の厚みより若干狭い間隔とされた係合空間を有した断面コ字状又は断面Ｕ字状の閉止具本体と、袋の開口部の開口長さ両端位置に設けられ、閉止具本体をこの両端に摺動させたときにそれ以上の移動を禁止するストッパ部とを備え、閉止具本体の係合空間の対向する内面にはそれぞれ突部又は窪部を形成し、ストッパ部の両面にはそれぞれ突部又は窪部が係合する窪部又は突部を形成したので、閉止具本体の横方向の移動を滑らかにしつつも横方向と縦方向への抜け防止が図られ、さらに、内容物を出し入れする際には開口部の開口径全域を有効に利用することができ、また、ファスナー部を最終端まで確実に閉じることができる。
【００５４】
また、本発明は、上記構成に加えて、ストッパ部の、突部又は窪部が形成された側とは反対の端部に取付部を設けることで、袋を破損したり、密閉性を損なうことなく引っ掛けたり吊り下げたりすることができる。
【００５５】
また、本発明は、上記構成に加えて、ストッパ部の、突部又は窪部が形成された側とは反対の端部に把持部を設けることで、例えば手に水分が付いていたり、油等が付いていたりした場合であっても、手が滑ることなく確実に操作することができ、操作性が向上する。
【００５６】
また、本発明は、上記構成に加えて、閉止具本体の、袋の開口部を跨ぐ部位に把持部を設けることで、該閉止具本体を確実に把持した状態で摺動させることができるようになり、使い勝手が向上する。
【図面の簡単な説明】
【図１】本発明の袋の閉止具を採用した圧縮袋を示す図である。
【図２】本発明の袋の閉止具を圧縮袋の開口方向から示し、（ａ）は閉止具本体の摺動途中を、（ｂ）は閉止具本体の摺動終了時を、各々示す図である。
【図３】本発明の袋の閉止具における、ファスナー部、閉止具本体、ストッパ部を拡大して示し、（ａ）は圧縮袋の厚み方向から見た図、（ｂ）は（ａ）の側面方向から見た図、である。
【図４】本発明の袋の閉止具における閉止具本体を示し、（ａ）は圧縮袋の正面方向から見た図、（ｂ）は（ａ）の側面方向から見た図、（ｃ）は（ａ）の底面方向から見た図、（ｄ）は（ｂ）の横断面図、である。
【図５】本発明の袋の閉止具におけるストッパ部を示し、（ａ）は一方側面から見た図、（ｂ）は他方側面から見た図、（ｃ）は（ｂ）の上方から見た図、（ｄ）は（ｂ）の側面方向から見た図、である。
【図６】本発明の袋の閉止具におけるストッパ部の他の例を示し、（ａ）は一方側面から見た図、（ｂ）は他方側面から見た図、（ｃ）は（ｂ）の上方から見た図、（ｄ）は（ｂ）の側面方向から見た図、である。
【図７】本発明の袋の閉止具のストッパ部の取付部にハンガーを取り付けた場合を示す図である。
【図８】本発明の袋の閉止具のストッパ部の取付部にＳ字状のフックを介してハンガーを取り付けた場合を示す図である。
【図９】本発明の袋の閉止具における閉止具本体とストッパ部との他の実施例を示す図である。
【符号の説明】
１  （袋の）閉止具
２  ファスナー部
３  閉止具本体
３ａ  連結部
３ｂ  側壁部
３ｃ  係合空間
３ｄ  突部
３ｅ  把持部
４  ストッパ部
４ａ  窪部
４Ａ  取付部（係合型）
４Ｂ  取付部（嵌合型）
Ｐ  圧縮袋
Ｐａ  開口部
Ｐ１  フック
Ｐ２  ハンガー
【図１】
2005035589.tif 000003
【図２】
2005035589.tif 000004
【図３】
2005035589.tif 000005
【図４】
2005035589.tif 000006
【図５】
2005035589.tif 000007
【図６】
2005035589.tif 000008
【図７】
2005035589.tif 000009
【図８】
2005035589.tif 000010
【図９】
2005035589.tif 000011